(57)【要約】【課題】本発明は、転写画像付き物品の受注納品システム、及びその転写画像付き物品を提供する。【解決手段】本発明は、需要者がインターネットに接続されたサーバ上のホームページに、需要者が予め作成した画像を入稿する画像入稿工程と、供給者が画像を物品本体に転写して転写画像付き物品を作成する物品作成工程とを有する転写画像付き物品の受注納品システム、およびこれにより得られる転写画像付き物品を提供することができる。これにより、インターネットを介して需要者が所有する画像を入稿でき、供給者により短時間で画像転写が物品本体に転写されるため、納期が短縮され、少量でも安価に満足度の高いオリジナルグッズを提供することができる。【選択図】    図２
2004206289.tif 000002
【特許請求の範囲】
【請求項１】
需要者がインターネットに接続されたサーバ上のホームページに、該需要者が予め作成した画像を入稿する画像入稿工程と、
供給者が該画像を物品本体に転写して転写画像付き物品を作成する物品作成工程と、
を有することを特徴とする転写画像付き物品の受注納品システム。
【請求項２】
さらに、前記供給者によってインターネットのホームページに掲載された複数の物品本体のうちの一つを前記需要者が選択する物品本体選択工程と、
前記供給者が、選択された物品本体に、入稿された該画像を付したイメージ画像を作成し、作成されたイメージ画像をインターネットを介して前記需要者に送り返す見本作成返信工程と、
その送り返されたイメージ画像を確認して気に入れば作成依頼を前記需要者が前記供給者に連絡する見本確認工程と、
前記供給者が作成された前記転写画像付き物品を前記需要者に配送する輸送工程と、
を有することを特徴とする請求項１記載の転写画像付き物品の受注納品システム。
【請求項３】
前記物品作成工程が、前記供給者が前記画像を転写シート上に形成した後、前記画像を物品本体に転写することを特徴とする請求項１又は２記載の転写画像付き物品の受注納品システム。
【請求項４】
前記物品本体が、衣類、食器類、スポーツ用品類、文房具類、日用品類、玩具類、装飾品類、ラベル類であることを特徴とする請求項１乃至３のいずれか一項に記載の転写画像付き物品の受注納品システム。
【請求項５】
前記物品本体が、Ｔシャツ、ジャンパー、ユニフォーム、帽子、ボール、旗、看板、暖簾、団扇、タペストリー、キーホルダー、マグカップ、マウスパッド、携帯電話カバー、ワインラベル、ポット、コルクポットを含んでいることを特徴とする請求項１乃至４のいずれか一項に記載の転写画像付き物品の受注納品システム。
【請求項６】
請求項１乃至５記載の転写画像付き物品の受注納品システムにより得られることを特徴とする転写画像付き物品。
【発明の詳細な説明】
【０００１】
【発明の属する技術分野】
本発明は、転写画像付き物品の受注納品システム、及びその転写画像付き物品に関する。
【０００２】
【従来の技術】
従来より、例えば、新商品発売に伴う企業のキャンペーン活動、商店街におけるセール期間中の抽選会場、学校祭やクラブ活動において、市販の衣類や玩具類、文房具類などの日用品に、それぞれの団体のロゴマーク等を付することにより、販促品、記念品、キャンペーングッズ、ノベルティーグッズ等として使用することがある。衣類や日用品等にロゴマーク等を付する場合、縫い糸により縫い付ける方法や、インクにより印刷する方法等があるが、ある程度の量以上を必要とする場合には、シルクスクリーン印刷による方法を用いることが多かった。
【０００３】
しかしながら、衣料品や日用品などにシルクスクリーン印刷を施す場合には、版下から写真フィルムを作成し、さらに印刷板を作成する必要があり、多くの労力が費やされるため、ロゴマーク等を付された物品は、発注から納品までに時間がかかり、また、色数分の印刷版が必要であり、多色からなる画像を印刷する場合には版代が多くかかるため、比較的少量の場合にはコストが高くなるという問題があった。また、縫い糸によりロゴマーク等を形成する場合でも、複雑すぎる画像や、大きい画像を付することが難しいという問題もあった。
【０００４】
また、近年のパソコンの普及に伴い、インターネットを用いた商取引が次第に盛んになってきている。インターネットを用いた商品の一般的な販売方法としては、商品の供給者がインターネットに接続されたサーバ上に商品販売用のホームページを開設し、需要者がホームページにアクセスして商品購入に関する処理を行うものが知られている。
【０００５】
このような販売方法として、通信ネットワーク上でのユーザ端末からのアクセスに対して、商品販売サーバが商品データベースから所望商品に関する種類、字体、色彩等（印刷場所、印刷サイズ）をユーザ端末に送信し、ユーザ端末にそれらを選択させると共に、ユーザ端末から所望ネーム、ロゴ等の特注を受信し、ユーザ端末により選択されたデータおよびで特注されたデータを組み合わせて画像ファイルを作成して商品のイメージ画面をユーザ端末に送信し、ユーザ端末において確認されてＯＫが出たら、そのイメージ商品を具現化したオリジナル商品として販売する、というものが知られている（特許文献１参照。）。
【０００６】
しかしながら、商品に付される絵柄、ロゴ等の意匠は、供給者が用意してある種類のみから選択するものであり、換言すれば、ごく限られた少ないものから選択しなければならないという問題点があった。
【０００７】
そこで、オリジナル画像を供給者に入稿する方法があるが、この場合には画像を紙に出力して入稿したり、あるいは電子データ化して入稿する場合にもフロッピー（登録商標）ディスク（以下、ＦＤとすることがある。）などを媒体として入稿しなければならなかったため、納品までに長時間を要したり、できあがった物品のイメージを確認することができないという問題点もあった。
【０００８】
【特許文献１】
特開２００２−２９７９６５号公報
【０００９】
【発明が解決しようとする課題】
本発明は、インターネットを利用し、開設されたホームページに個人で所有している画像を入稿し、入稿された画像が物品本体に転写されることにより得られる転写画像付き物品を、少量であってもオリジナルグッズとして安価に提供することができる転写画像付き物品の受注納品システム、及びこれにより得られる転写画像付き物品を得ることを目的とする。
【００１０】
【課題を解決するための手段】
本発明者は、需要者がインターネットに接続されたサーバ上のホームページに予め作成した画像を入稿し、供給者が画像を物品本体に転写して転写画像付き物品を作成する受注納品システム、及びその転写画像付き物品を見出し、本発明を完成させた。
【００１１】
【発明の実施の形態】
本発明の転写画像付き物品の受注納品システムは、需要者がインターネットに接続されたサーバ上のホームページに、需要者が予め作成した画像を入稿する画像入稿工程と、供給者が画像を物品本体に転写して転写画像付き物品を作成する物品作成工程とを有する。本発明において、需要者とは転写画像付き物品を発注する者をいい、個人であっても、法人等の団体であってもよく、この団体としては個人に依頼された法人（店舗等）でもよい。また、供給者とは、転写画像付き物品を受注納品する者をいい、個人であっても、製造会社及び販売会社等の法人であってもよい。
【００１２】
また、本発明の転写画像付き物品の受注納品システムは、上述の工程に加えて、さらに、供給者によってインターネットのホームページに掲載された複数の物品本体のうちの一つを需要者が選択する物品本体選択工程と、供給者が、選択された物品本体に、入稿された画像を付したイメージ画像を作成し、作成されたイメージ画像をインターネットを介して需要者に送り返す見本作成返信工程と、その送り返されたイメージ画像を確認して気に入れば作成依頼を需要者が供給者に連絡する見本確認工程と、供給者が作成された転写画像付き物品を需要者に配送する輸送工程とを有することが好ましい。
【００１３】
以下に、本発明の実施の形態を図面に基づいて説明する。
図１は、本発明の転写画像付き物品の受注納品システムを実現するための基本的なシステム構成を示している。図２は、本発明の転写画像付き物品の受注納品システムを実行するために必要な機器の一例を示す構成概略図を示している。
【００１４】
本発明における供給者は、インターネット２に接続されたＷＷＷ（ワールド・ワイド・ウェブ）等のサーバ１上に受注納品用のホームページを開設する。サーバ１にはＨＰ（ホームページ）コンテンツ１ａが接続されている。
【００１５】
図１に示すように、サーバ１は供給者が所有するものに限らず、例えば、インターネット・サービス・プロバイダ（以下、ＩＳＰと略す。）が所有するものであってもよい。近年、多くのＩＳＰが、ＷＷＷ等のサーバ上にホームページを開設するサービスを契約者に提供している。更に、ＣＧＩ（コモン・ゲートウェイ・インターフェイス）を用いてホームページ上でプログラムを動作させるサービスを提供している。これにより、需要者がＷＷＷブラウザを用いて、例えばパーソナルコンピュータからの操作をＷＷＷサーバと連動させることが可能になる。このようなＣＧＩスクリプトを含む販売者のＨＰコンテンツは、記憶装置１ａに格納されている。
【００１６】
本発明におけるホームページは、供給者によってインターネット上に開設されており、ホームページに、供給者は需要者が画像を入稿するために必要な個人情報や、後述する見本作成返信工程において用いる特別な処理（フレーム等）を設けるとともに、転写画像付き物品として供給する物品本体や、仕様、価格、代金の支払方法等の情報が提示することが好ましい。これにより、需要者は、物品本体選択工程において、ＷＷＷブラウザを用いて物品本体を選択することができる。
【００１７】
本発明における需要者は、インターネット２に接続可能なパーソナルコンピュータ（以下、パソコンと略記する。）等の端末３からＷＷＷブラウザを用いて供給者のホームページにアクセスすることができ、需要者は予め作成した画像をそのホームページに入稿する画像入稿工程を実行することができる。すなわち、需要者は、画像入稿工程において、パソコン等の端末３からＷＷＷブラウザを用いて供給者のＨＰにアクセスし、予め作成した画像を入稿することができる。
【００１８】
本発明における画像入稿工程を実行する方法は、図２に示すように、インターネット２０に接続できる機器を利用して投稿先（供給者）のＵＲＬ（ＵＮＩＦＯＲＭ  ＲＥＳＯＵＲＣＥ  ＬＯＣＡＴＯＲ）に対して画像を送る、というものであり、上記機器（端末）としては特に限定されず、各個人のパソコン１２の他、携帯電話等のインターネットに接続できる機器であればよい。
【００１９】
上記実施形態において、供給者は、見本作成返信工程において、例えば需要者による選択に応じて、画像処理用パソコン１３を用いて入稿された画像の加工処理を行ってもよい。上記画像の加工処理としては、例えば、画像の構図、フォーカス、切り取り、色彩等の変更が挙げられる。上記加工処理された画像は、上記物品本体選択工程において需要者により選択された物品本体に画像処理用パソコン１３において付されて、転写画像付き物品のイメージ画像が作成される。次いで、このイメージ画像はインターネットを介して需要者に返信される。この見本作成返信工程において、需要者はできあがった転写画像付き物品の外観を確認することができるようになる。
【００２０】
さらに、需要者は、上記実施形態において、見本作成返信工程において返信された転写画像付き物品のイメージ画像を確認して、気に入れば見本確認工程において転写画像付き物品の作成依頼を連絡することができるが、必要に応じて、物品本体に対する入稿した画像の位置、大きさ等の変更を行ってもよい。この場合、供給者は、再度見本作成返信工程を実行することが好ましい。
【００２１】
上記見本確認工程において、需要者より作成依頼を受けた供給者は、画像を物品本体に転写して転写画像付き物品を作成する物品作成工程を実行する。本発明における物品作成工程は、供給者が画像を転写シート上に形成した後、画像を物品本体に転写することにより実行されることが好ましい。これにより、版下等を作成することなく物品本体に画像を転写することができるようになるので、転写画像付き物品を少量でも安価に作成でき、また、納期を短縮することができるようになる。
【００２２】
上記のようにして作成された転写画像付き物品は、輸送工程において、供給者から需要者に配送される。これにより、需要者は所有する画像をインターネットを介して注文でき、完成予想イメージ画像を確認後、作成された転写画像付き物品が手元に届けられるので、容易にオリジナルグッズを手に入れることができるようになる。
【００２３】
本発明に用いられる転写シートは、画像を物品本体に転写することができれば特に限定されず、物品本体の材質に応じて適宜選択すればよい。本発明に用いられる転写シートの構成としては、基材の少なくとも一方に画像転写層が設けられていることが好ましく、前記画像転写層は画像形成方法に応じて、例えば、熱可塑性樹脂、染着性樹脂等の樹脂や、微粒子等を含んでなるものが挙げられる。また、画像を転写シート上に形成する方法としては、転写シートの構成等に応じて適宜選択することができ、アイロン転写、プリンターによる印刷などが挙げられる。プリンターによる印刷の種類としては、例えば、インクジェット型、トナー型、昇華型、気化型、熱溶融型のものが挙げられる。
【００２４】
本発明において、上記転写シートとしてインクジェットプリンター用転写シートを用いる場合、インクジェットプリンター用転写シートは、基材と、該基材から剥離可能であり、かつホットメルト接着性粒子を含む転写層から構成されるものを用いることができる。ここで、上記ホットメルト接着性粒子が、吸油量５０ｍｌ／１００ｇ以上で、かつ多孔質の第１のホットメルト接着性微粒子から主としてなり、さらに吸油量５０ｍｌ／１００ｇ未満の第２のホットメルト接着性微粒子を含んでいてもよい。また、基材と転写層との間に、基材に対して剥離可能な保護層を有していても構わない。
【００２５】
また、トナー型プリンター用転写シートとしては、例えば、主として基材と、熱可塑性樹脂及び微粒子を含む転写層とからなるもの等が挙げられる。昇華型や気化型プリンター用転写シートとしては、例えば、主として基材と、染着性樹脂及び低染着性物質を含む染料受容層とからなるもの、主として基材と、基材に対して剥離可能に形成された互いに非相容性の複数の樹脂からなる受像層とからなるもの等が挙げられる。熱溶融型プリンター用転写シートとしては、例えば、基材の少なくとも一方に転写層として多孔質層を形成したもの等が挙げられる。
【００２６】
本発明において用いられる物品本体の材質については、前記画像が物品本体に転写されることができれば特に限定されず、例えば、繊維、紙、木材、合成樹脂、金属、陶器、皮革等が挙げられる。また、物品本体上の転写画像が付される箇所（面）の形状についても特に限定されず、平面でも曲面でもよい。本発明の転写画像付き物品に用いられる物品本体は、衣類、食器類、スポーツ用品類、文房具類、日用品類、玩具類、装飾品類、ラベル類であることが好ましく、中でもＴシャツ、ジャンパー、ユニフォーム、帽子、ボール、旗、看板（バナー）、暖簾、団扇、タペストリー（壁飾り）、キーホルダー、マグカップ、マウスパッド、携帯電話カバー、ワインラベル、ポット、コルクポットであることが好ましい。これにより、それぞれの需要者の好みに応じた転写画像付き物品を提供することができるようになる。
【００２７】
図２において、１１は店舗受注用のパソコン、１２は需要者（ユーザ）のパソコン、１３は画像処理用のパソコン、１４は保守用のパソコン、１５は顧客管理用のパソコン、１６はＷｅｂサーバ、１７は物流連携用のサーバ、１８はＦ／Ｗであり、これらはインターネット２０を介して送受信自在に接続されている。尚、１９は取引が成立した場合に商品を需要者に届けるための輸送手段（鉄道コンテナ、トラック自動車等）である。各パソコン１１〜１５は、本体１１ａ〜１５ａ、画面１１ｂ〜１５ｂ、及びキーボード１１ｃ〜１５ｃ等を備えている。
【００２８】
本発明において、イメージ画像の作成は画像処理用のパソコン１３で行われ、ホームページの更新、履歴記憶、保守点検等の処理は、保守用のパソコン１４で行われ、送受信のやり取りが行われたことによる需要者の各種データの整理、管理、並びにそのやり取りの一部始終のまとめといった管理作業は、顧客管理用のパソコン１５で行われるるとともに、それらの全データはＷｅｂサーバ１６に記憶されるようになっている。
【００２９】
本発明における需要者は、インターネット２０を介して、自らパソコン１２を用いて画像を入稿しても、供給者のホームページにアクセスできる店舗等に設置されている店舗受注用のパソコンを用いて画像を入稿しても構わない。供給者が開設したホームページ上には、需要者が転写画像付き物品を注文するために必要な個人情報を入力したり、希望する物品本体に送信された画像を付した完成予想図等のイメージ画像を作成する等のプログラムが設定されている。そして、需要者に転写画像付き物品のイメージ画像を送信し、需要者がこれを気に入って購入することになれば、そのための手続を行い、決済が成立することになる。
【００３０】
本発明における見本作成返信工程において、供給者による転写画像付き物品のイメージ画像の作成は、画像処理用のパソコン１３で行われ、需要者が選択した物品本体毎（例えば、マグカップとマウスパッド等）、或いは同種の商品における複数種（例えば、Ｔシャツにおける色違い、大きさ違い等）について行うことができるが、需要者に予め希望を設定させ、これを基に作成することにより、より需要者の希望に沿った転写画像付き物品を提供できるようになる。
【００３１】
上記のように作成された転写画像付き物品は、輸送工程において、輸送手段１９により需要者に届けられる。このように、本発明の受注納品システムにより、需要者が所有する画像をインターネットを介して注文でき、手元に届けられるので、容易にオリジナルグッズを手に入れることができるようになる。
【００３２】
図３に、本発明の転写画像付き物品の受注納品システムを実行するための処理の一例のフローチャートを示す。まず、需要者は、自分の有するパソコン１２等において、供給者が開設しているインターネット２０のホームページにて示された物品本体陳列画面を見て（ステップ＃１）、画面に掲載されている物品本体（マグカップ、プレート板、マウスパッド、Ｔシャツ等）の中から希望する物品本体を選択し、例えば、物品本体毎に配置された「ＯＫ」部分の画面をクリックする等の手段により、その旨を送信する物品本体選択工程（ステップ＃２）を行う。
【００３３】
次いで、需要者は、予め作成した自己の所有する画像を供給者に送信する画像入稿工程（ステップ＃３）を行い、供給者は、画像処理用のパソコンでその入稿された画像の加工処理を行い（ステップ＃４）、画像処理用のパソコンで画像を物品本体に付して転写画像付き物品の完成予想図のイメージ画像を作成し（ステップ＃５）、その作成されたイメージ画像を需要者に送信する見本作成返信工程（ステップ＃６）を行う。
【００３４】
需要者は、その供給者によって作成されたイメージ画像を見て確認してからその見本が気に入ったかどうかを可否判断し（ステップ＃７）、ＹＥＳ（ＯＫ）であれば注文画面にて注文（購入）を行い（ステップ＃９）、ＮＯ（ＮＧ）であればステップ＃４に戻るという見本確認工程を行う。ＮＧの連絡を受けた供給者は、画像の加工処理方法等を変更してイメージ画像を作成し直し、再びステップ＃５に進む。
【００３５】
イメージ画像の判断ルーチン（ステップ＃７）の１回又は複数回のやり取りの後、合意に達しなかった場合には、注文するためのステップ＃９の前に設けられたステップ＃８において、取引続行か否かの判断を行い、ＹＥＳ（続行）であればステップ＃９に移行し、ＮＯ（中止）であれば終了となる。注文を受けた供給者は、画像を転写シート上に形成し、画像をステップ＃２において需要者が選択した物品本体に転写する物品作成工程を実行して転写画像付き商品を作成し、前述した輸送手段１９（輸送工程）を用いて、その転写画像付き物品を迅速に需要者に配送するのである。
【００３６】
すなわち、本発明の転写画像付き物品の受注納品システムは、需要者が所有する画像をインターネットを介してホームページに入稿し、供給者は、その入稿された画像を需要者が希望する物品本体に付したイメージ画像を作成してホームページに掲載し、それを確認した需要者が納得したら決済が成立し、供給者が転写画像付き物品を作成し、これを供給者が需要者に配送するというシステムである。つまり、供給者と需要者との双方の情報を交換し、需要者に唯一のオリジナルグッズとして供給することを具現化でき、オーダーメイド型の物品であっても、安価に提供することができるシステムである。
【００３７】
本発明の転写画像付き物品は、上記のような、本発明の転写画像付き物品の受注納品システムにより作成されているのである。
【００３８】
【発明の効果】
本発明の転写画像付き物品の受注納品システムは、転写画像付き物品のＷｅｂ上（インターネット上）での受注及び画像入稿、画像転写、転写画像付き物品の納品という流れを趣旨としており、需要者が自ら用意した画像をインターネットを介して入稿し、自ら選択した物品本体に転写させ、納品してもらうものである。従って、物品本体に付する意匠を、物品本体供給者が用意した極めて少量の意匠画像から選択する場合に比べて、需要者は、より高いレベルで納得の行く状態の転写画像付き物品を得ることが可能になり、満足度の高いオリジナルグッズを得ることができるようになる。特に、画像をインターネットを介して入稿でき、これを版下等を作成することなく、転写シート上に画像を形成して物品本体に転写できるため、納期を短縮でき、少量でも安価にオリジナルグッズを得ることができるようになる。
【図面の簡単な説明】
【図１】本発明の転写画像付き物品の受注納品システムの基本システム図である。
【図２】本発明の転写画像付き物品の受注納品システムを実行するために必要な機器の一例を示す概略構成図である。
【図３】本発明の転写画像付き物品の受注納品システムを実行するための処理の一例を示すフローチャートである。
【符号の説明】
１              サーバ
２              インターネット
３              端末
１１            店舗受注用のパソコン
１２            需要者用のパソコン
１３            画像処理用のパソコン
１４            保守用のパソコン
１５            顧客管理用のパソコン
１６            Ｗｅｂサーバ
１７            物流連携用のサーバ
１８            Ｆ／Ｗ
２０            インターネット
【図１】
2004206289.tif 000003
【図２】
2004206289.tif 000004
【図３】
2004206289.tif 000005